(57)【特許請求の範囲】
【請求項１】
建物の躯体の壁部に取付けられる外壁材と建具との間にパッキンを挿入するための隙間を設け、前記パッキンは前記外壁材の外面の縁部に当接される突条部を有し、該突条部の付根部には切断用の溝が設けられ、前記建具の上部と外壁材との隙間に挿入されるパッキンは前記突条部が切除されていることを特徴とする外壁。
【発明の詳細な説明】
【０００１】
【発明の属する技術分野】
本発明は、外壁に係り、特にパッキンの構造を改良して施工性等の向上を図った外壁に関する。
【０００２】
【従来の技術】
従来の外壁としては、例えば図１０に示すように、建物の躯体の壁部に取付けられた外壁材４と建具例えばサッシ５との間に隙間７を設け、この隙間７にパッキン（ガスケットともいう）８０を挿入してなる乾式シール工法の外壁が知られている。
【０００３】
前記パッキン８０としては、挿入時の位置決め用等として前記外壁材４の外縁部に係止される突条部８０ａを有するものがある。このような外壁においては、サッシ５の下部（下枠）と外壁材４の隙間（下部隙間）７に挿入されるパッキン８０の突条部８０ａが下方に向いているため、雨水の水切りに好適である。
【０００４】
【発明が解決しようとする課題】
しかしながら、前記外壁においては、サッシ５の上部（上枠）と外壁材４の隙間（上部隙間）に前記パッキン８０と同じ形状のパッキン８０を挿入した場合、図１１に示すようにパッキン８０の突条部８０ａが上方に向いてしまうため、外壁材４の外面に凹凸がある場合、その外壁材４の外面とパッキン８０の突条部８０ａとの間に隙間４０が生じ、この隙間４０に雨水や埃が入り込むという問題があった。この問題を解消するためには、突条部８０ａを有するパッキンの他に突条部８０ａを有しない別の形状のパッキンも用意する必要があり、コストの上昇を招く問題があった。
【０００５】
本発明は、前記事情を考慮してなされたもので、外壁材の外面とパッキンの突条部との隙間に雨水や埃が入り込む問題を解消することができ、パッキンの突条部を容易に切除することができ、同じ形状のパッキンを上下の隙間に使い分けることができ、コストの低減が図れる外壁を提供することを目的とする。
【０００６】
【課題を解決するための手段】
本発明は、建物の躯体の壁部に取付けられる外壁材と建具との間にパッキンを挿入するための隙間を設け、前記パッキンは前記外壁材の外面の縁部に当接される突条部を有し、該突条部の付根部には切断用の溝が設けられ、前記建具の上部と外壁材との隙間に挿入されるパッキンは前記突条部が切除されていることを特徴とする。
【０００７】
【発明の実施の形態】
以下に、本発明の実施の形態を添付図面に基いて詳述する。図１は本発明の実施の形態を示す外壁の縦断面図、図２は同外壁の横断面図、図３は外壁材の取付構造を説明するための断面図、図４はパッキンを示す図で、（ａ）は突条部を有する状態の断面図、（ｂ）は突条部を切除した状態の断面図である。
【０００８】
図１ないし図２において、１は外壁で、この外壁１は建物の躯体２の壁部３に取付けられる外壁材４と建具例えばサッシ５とを備えている。このサッシ５は、建物の躯体２の開口部９に設けられる枠（建具枠）６と、この枠６内に例えば引違いに開閉自在に設けられた障子１０とから主に構成されている。前記外壁材４とサッシ５との間、具体的には外壁材４の端部とサッシ５の枠６の外側面との間には隙間７が設けられ、この隙間７にパッキン８が屋外側（室外側）から挿入されるようになっている。
【０００９】
前記枠６は、例えばアルミニウム合金の押出形材からなる上枠６ａ、下枠６ｂ及び左右の縦枠６ｃ，６ｄにより方形に組立てられている。枠６の外周には、室内外方向略中間に取付フィン１１が設けられ、この取付フィン１１を躯体２の室外面に固着具例えばネジや釘で固定することにより枠２が半外付け状態に取付けられている。また、前記左右の縦枠６ｃ，６ｄには、前記隙間７を所定の間隔を隔てて覆うように突出ないし張出した突出部（張出部）１２が設けられている。
【００１０】
前記外壁材４は、例えばタイルやレンガのような窯業系の外装材（サイディング）からなり、所定寸法（例えば縦横が４５０ｍｍ×２７００ｍｍ）のパネル状に形成されている。外壁材４の取付方法としては、縦長状態で取付ける縦張りや、横長状態で取付ける横張りがあるが、何れであってもよい。また。外壁材４としては、金属系のパネルであってもよい。
【００１１】
前記外壁材４の上端部には、例えば図３に示すように、厚さ方向略中間から外表面までの厚さの凹部１５と、厚さ方向略中間から裏面までの厚さの凸部１６とが形成され、外壁材４の下端部には、厚さ方向略中間から外表面までの厚さの凸部１７と、厚さ方向略中間から裏面までの厚さの凹部１８とが形成され、これら凹部１５，１８と凸部１６，１７を互いに係合させた状態で外壁材４が躯体２の壁部３に張設されるようになっている。また、図示例では、下部の外壁材４の下端部が第１の取付金具（取付部材）２０を介して、この下部の外壁材４と上部の外壁材４の接合部（係合部）が第２の取付金具（取付部材）２１を介して躯体２の壁部３と外壁材４との間に所定隙間の通気層２３が形成されるように躯体２の壁部３に取付けられている。なお、サッシ５の枠６と対向する外壁材４の端部は、凹部及び凸部を有せず、パネル面に直角に切断されている。
【００１２】
前記第１の取付金具２０及び第２の取付金具２１は、躯体２に固着具例えば釘２４で固定されている。なお、前記上部の外壁材４の上端部には凹部１５及び凸部１６が形成されておらず、この上部の外壁材４の上端部は躯体２の壁部３に通気胴縁２５を介して釘２４で固定されている。また、前記躯体２の壁部３には、透湿防水紙２６が張設されている。
【００１３】
前記パッキン８は、図４の（ａ）に示すように、前記外壁材４の外縁部（外面の縁部）に係止（当接を意味する）される突条部（外面側の突条部）２７ｂを有している。また、図示例（実施例）のパッキン８は、外壁材４の内縁部（内面すなわち裏面の縁部）に係止される突条部（内面側の突条部）２７ａも有しており、これら挿入方向前後の突条部２７ａ，２７ｂにより外壁材４の端部を厚さ方向の前後から挟み込んで自らを固定保持するようになっている。
【００１４】
換言すれば、パッキン８は、一側に前記外壁材４の端部を厚さ方向の前後から挟み込んで自らを固定保持する突条部２７ａ，２７ｂを有している。また、パッキン８は、他側に前記枠６の外側面に対して弾性力で密着する変形可能な複数の気密片部２８を有している。前記パッキン８は、弾性変形可能なゴム質ないし軟質樹脂からなり、押出成形により図４の紙面に垂直方向に連続した長尺に形成されている。
【００１５】
パッキン８の一側部には、外壁材４の直角に切断された端面に当接される当接面部２９が形成されていると共に、その前端部（先端部）と後端部とから外壁材４の厚さと略同じ間隔で対向する状態で側方へ突出した一対の前記突条部２７ａ，２７ｂが一体形成され、これら両突条部２７ａ，２７ｂが外壁材の端縁部を表裏両面から挟み込むようになっている。内面側の突条部２７ａはパッキン８の抜けを防止する。外面側の突条部２７ｂはパッキン８の位置決め用として挿入し過ぎを規制ないし防止すると共に外壁材４の外縁部を覆って保護する。両突条部２７ａ，２７ｂは外壁材４を挟み込むことでパッキン８自体を固定すると共に外壁材４とパッキン８との間の気密性及び水密性を保持する。
【００１６】
そして、前記外面側の突条部２７ｂの付根部には切断用の溝３０が設けられている。切断用の溝３０は、断面Ｖ字状溝からなり、突条部２７ｂの付根部の少なくとも一側（図示例では両側）に長手方向に沿って設けられている。この溝３０により前記突条部２７ｂの付根部が肉厚の薄い薄肉部３１になっており、これにより容易に且つ奇麗に引き裂いて突条部２７ｂを除去（切除）可能になっている。
【００１７】
前記パッキン８の他側部には、側方へ突出したヒレ状の前記気密片部２８が一体形成されている。パッキン８の一側の当接面部２９と他側の気密片部２８先端との間の寸法が、前記隙間７の幅よりも大きく形成されている。この気密片部２８は、パッキン８の挿入方向に複数例えば３枚設けられ、隣り合う気密片部２８間には風圧を減圧するための空気層３０が形成されている。すなわち、パッキン８を前記隙間７に屋外側から挿入すると、前記気密片部２８の先端側が弾性力により枠６の外側面にこれを押圧するように密着し、パッキン８と枠６との間に気密片部２８で区画された複数段例えば２段の空気層（空気室）３２が形成されるようになっている。外壁材４よりも屋外側の風圧をＰａ、外壁材４よりも屋内側の気圧をＰｄ、前記空気層３２の空気圧を屋外側からＰｂ、Ｐｃとすると、風圧がＰａ＞Ｐｂ＞Ｐｃ＞Ｐｄのように段階的に減圧されるため、各気密片部２８を境とする気圧差が小さくなり、気圧差で雨水が屋内側に侵入するのを抑制ないし防止することができる。
【００１８】
前記縦枠６ｃ，６ｄの屋外端には前記隙間７の屋外側を所定の間隔を隔てて覆うように鍔状に突出した突出部１２が形成されているため、パッキン８を屋外側から直接前記隙間７に挿入することが難しい。そこで、パッキン８を横方向から向きを変えながら前記隙間７に挿入し易くするために、前記パッキン８の前端部には傾斜部３３が設けられている。この傾斜部３３は一側の前部の突条部２７ａから他側に向って傾斜している。
【００１９】
また、パッキン８の弾性変形による方向変換を容易にするために、パッキン８には中空部３４が設けられていることが好ましい。これによりパッキンが挿入通路のコーナー部における外壁材４のエッジ部で潰れて容易に方向変換が可能となり、隙間７へのパッキン８の挿入が容易になる。
【００２０】
なお、縦枠６ｃ，６ｄと外壁材４の隙間にパッキン８を横方向から向きを変えながら挿入する場合、図７に示すようにパッキン８が不完全に挿入される場合がある。この場合、図８に示すようなパッキン挿入補助具３５を用いて図９に示すようにパッキン８を挿入するとパッキン８を確実に（完全に）且つ容易に挿入することができる。このパッキン挿入補助具３５は、略Ｌ字状に形成され、その一端が把手部３６とされており、他端が前記縦枠６ｃ、６ｄの突出部１２と外壁材４の隙間に横方向から挿入される挿入部３７とされている。この挿入部３７の先端には回転可能な複数（図示例では３個）のローラ３８が突出部１２の内面とパッキン８の外面（後端面）とに互い違いに接するように偏心させて設けられている。前記ローラ３８部分を縦枠６ｃ、６ｄの突出部１２の長手方向一端（上端または下端）から突出部１２とパッキン８の間に挿入し、パッキン８の長手方向に沿ってローラ３８を転動させればよく、これによりパッキン８を隙間７に押し込んで確実に装着することができる。
【００２１】
前記サッシ５の枠６の上部、下部及び左右両側部と外壁材４との隙間７に前記構成からなる同じ形状のパッキン８がそれぞれ挿入される。この場合、上下左右のパッキン８のコーナー部における接合構造（繋ぎ方）は、縦通しや横通しであってもよいが、図５に示すようにパッキン８の端部８ａを４５度の角度で切断し、端部同士を突き合わせて接合する接合構造の方が水密性や意匠性（見栄え）からいって好ましい。また、端部同士は、経年変化で隙間が発生しないように接着剤で接合することが好ましい。
【００２２】
そして、前記サッシ５の上部と外壁材４との隙間７に挿入されるパッキン８の外面側の突条部２７ｂと外壁材４の外面との隙間に雨水や埃が入り込む問題を解消するために、図１にも示すように、前記サッシ５の上部と外壁材４との隙間７に挿入されるパッキン８はその突条部２７ｂが切除されている。パッキン８には突条部２７ｂの付根部に切断用の溝３０が設けられているため、パッキン８から突条部２７ｂを容易に且つ奇麗に引き裂いて除去することができる。なお、突条部２７ｂを引き裂く代りにカッターで切断してもよく、この場合も溝３０があるため切断作業が正確且つ容易にできる。
【００２３】
なお、パッキン８のコーナー部における接合構造としては、図６に示すように、パッキン８の端部を９０度の角度で切断し、端部同士をコーナー用パッキン３９を介して接合するようにしてもよい。コーナー用パッキン３９の端面形状はパッキン８の端面形状と同じにされ、端面同士は、経年変化で隙間が発生しないように接着剤で接合することが好ましい。コーナー用パッキン３９においても、外壁材４の外縁部に係止される突条部３９ｂを有し、該突条部３９ｂの付根部には切断用の溝（図示料略）が設けられていることが好ましい。
【００２４】
以上の構成からなる外壁１によれば、建物の躯体２の壁部３に取付けられる外壁材４とサッシ５との間にパッキン８を挿入するための隙間７を設け、前記パッキン８は前記外壁材４の外縁部に係止される突条部２７ｂを有し、該突条部２７ｂの付根部には切断用の溝３０が設けられ、前記サッシ５の上部と外壁材４との隙間７に挿入されるパッキン８は前記突条部２７ｂが切除されているため、外壁材４の外面とパッキン８の突条部２７ｂとの隙間に雨水や埃が入り込む問題を解消することができ、パッキン８の突条部２７ｂを容易に切除することができるので、同じ形状のパッキン８を上下の隙間７に使い分けることができ、コストの低減が図れる。
【００２５】
また、パッキン８は一側に前記外壁材４の端部を厚さ方向から挟み込んで自らを固定保持する突条部２７ａ，２７ｂを有し、且つ他側に前記他の建材例えばサッシ５の枠６に対して弾性力で密着する変形可能な気密片部２８を有しているため、突条部２７ａ，２７ｂにより隙間７におけるパッキン７の挿入方向前後の移動を規制してパッキン８を確実に固定することができると共に突条部２７ａ，２７ｂ及び気密片部２８により気密性及び水密性（止水性）の向上が図れ、施工性の向上及び止水性の向上が図れる。更に、前記気密片部２８はパッキン８の挿入方向に複数段設けられ、隣り合う気密片部２８間には風圧を減圧するための空気層３２が形成されているため、気密性及び水密性（止水性）の更なる向上が図れる。
【００２６】
以上、本発明の実施の形態を図面により詳述してきたが、本発明は前記実施の形態に限定されるものではなく、本発明の要旨を逸脱しない範囲での種々の設計変更等が可能である。例えば、前記実施例では建具としてサッシが例示されているが、建具としては、サッシ以外に、例えばドアやシャッター等であってもよい。
【００２７】
【発明の効果】
以上要するに本発明によれば、建物の躯体の壁部に取付けられる外壁材と建具との間にパッキンを挿入するための隙間を設け、前記パッキンは前記外壁材の外面の縁部に当接される突条部を有し、該突条部の付根部には切断用の溝が設けられ、前記建具の上部と外壁材との隙間に挿入されるパッキンは前記突条部が切除されているため、外壁材の外面とパッキンの突条部との隙間に雨水や埃が入り込む問題を解消することができ、パッキンの突条部を容易に切除することができるので、同じ形状のパッキンを上下の隙間に使い分けることができ、コストの低減が図れる。
【図面の簡単な説明】
【図１】本発明の実施の形態を示す外壁の縦断面図である。
【図２】同外壁の横断面図である。
【図３】外壁材の取付構造を説明するための断面図である。
【図４】パッキンを示す図で、（ａ）は突条部を有する状態の断面図、（ｂ）は突条部を切除した状態の断面図である。
【図５】パッキンのコーナー部における繋ぎ方の一例を示す概略的正面図である。
【図６】パッキンのコーナー部における繋ぎ方の他の例を示す概略的正面図である。
【図７】パッキンが縦枠と外壁材の隙間に斜めに挿入された状態を説明する説明図である。
【図８】パッキン挿入補助具を示す斜視図である。
【図９】パッキン挿入補助具を用いたパッキンの挿入状態を示す断面図である。
【図１０】従来の外壁の一例を示す概略的縦断面図である。
【図１１】図９のＡ−Ａ矢視拡大断面図である。
【符号の説明】
１  外壁
２  躯体
３  壁部
４  外壁材
５  サッシ（建具）
７  隙間
８  パッキン
２７ｂ  突条部
３０  切断用の溝
【図１】
0003717854.tif 000002
【図２】
0003717854.tif 000003
【図３】
0003717854.tif 000004
【図４】
0003717854.tif 000005
【図５】
0003717854.tif 000006
【図６】
0003717854.tif 000007
【図７】
0003717854.tif 000008
【図８】
0003717854.tif 000009
【図９】
0003717854.tif 000010
【図１０】
0003717854.tif 000011
【図１１】
0003717854.tif 000012